(57)【要約】【課題】  セルロース繊維等の繊維材料を吸尽染色した際に、斑のない緋赤色の染色物を与える反応染料組成物を提供すること。【解決手段】  反応染料（Ｉ）と反応染料（ＩＩＩ）とを含有してなる緋赤色反応染料組成物。2006028351.tif 000013                （Ｉ）2006028351.tif 000014              （ＩＩＩ）［式中、Ｘ１はフッ素原子や塩素原子等のハロゲン原子を、Ｘ２はセルロース繊維等とアルカリの存在下に反応する繊維反応基を表す。Ｘ３はセルロース繊維等とアルカリの存在下に反応する繊維反応基を表し、Ｘ４はセルロース繊維等とアルカリの存在下に反応しない非繊維反応基を表す。］【選択図】  なし【特許請求の範囲】
【請求項１】
遊離酸の形で表すと、下式（Ｉ）で示される反応染料と、遊離酸の形で表すと、下式（ＩＩＩ）で示される反応染料とを含有してなる反応染料組成物。
2006028351.tif 000010
（Ｉ）
［式中、Ｘ１はフッ素原子、塩素原子又は下式（ＩＩａ）で示される基を表す。Ｘ２は下式（ＩＩｂ）で示される基を表す。
−Ｎ（Ｒ１）−Ａ１−ＳＯ２−Ｙ１          （ＩＩａ）
−Ｎ（Ｒ２）−Ａ2−ＳＯ２−Ｙ2            （ＩＩｂ）
（式中、Ｒ１及びＲ２は、それぞれ独立に水素原子又は炭素数１〜４のアルキル基を表す。Ａ１及びＡ２は、それぞれ独立にフェニレン基を表し、該フェニレン基における水素原子は非繊維反応基で置換されていてもよい。Ｙ１及びＹ２は、それぞれ独立に−ＣＨ＝ＣＨ２又は−ＣＨ２ＣＨ２Ｌ１を表す。Ｌ１はアルカリの作用で脱離する基である。）］
2006028351.tif 000011
（ＩＩＩ）
［式中、Ｘ３は下式（ＩＶａ）で示される繊維反応基を表す。Ｘ４は下式（ＩＶｂ）、（ＩＶｃ）又は（ＩＶｄ）で示される基を表す。
−Ｎ（Ｒ3）−Ａ3−ＳＯ２−Ｙ3            （ＩＶａ）
−Ｎ（Ｒ４）−Ｒ５                      （ＩＶｂ）
2006028351.tif 000012
（ＩＶｃ）
−ＯＲ６                            （ＩＶｄ）
（式中、Ｒ３は水素原子又は炭素数１〜４のアルキル基を表す。Ａ３はフェニレン基を表し、該フェニレン基における水素原子は非繊維反応基で置換されていてもよい。Ｙ３は−ＣＨ＝ＣＨ２又は−ＣＨ２ＣＨ２Ｌ２を表し、Ｌ２はアルカリの作用で脱離する基を表す。Ｒ４、Ｒ５及びＲ６は、それぞれ独立に水素原子又はフェニル基を表し、該フェニル基における水素原子は非繊維反応基で置換されていてもよい。Ｔは−ＣＨ２−、−Ｏ−、−Ｓ−、−ＳＯ２−又は−Ｎ（Ｒ１３）−を表す。Ｒ１３は水素原子、フェニル基又はアルキル基を表す。該フェニル基及びアルキル基における水素原子は非繊維反応基で置換されていてもよい。ｍは１、２又は３である。）］
【請求項２】
式（Ｉ）におけるＸ１が式（ＩＩａ）で示される基であり、Ａ１及びＡ２が無置換のフェニレン基である請求項１に記載の反応染料組成物。
【請求項３】
式（Ｉ）におけるＸ１が塩素原子であり、Ｘ2が式（ＩＩｂ）で示される基であり、Ａ２が無置換のフェニレン基である請求項１に記載の反応染料組成物。
【請求項４】
式（ＩＩＩ）におけるＸ４が式（ＩＶｂ）又は（ＩＶｃ）で示される基であり、Ｘ3が式（ＩＶａ）で示される基であり、且つ、該式（ＩＶａ）におけるＡ３が無置換のフェニレン基である請求項１〜３のいずれかに記載の反応染料組成物。
【請求項５】
式（Ｉ）で示される反応染料及び式（ＩＩＩ）で示される反応染料の重量割合が、９９：１〜１：９９の範囲である請求項１〜４のいずれかに記載の反応染料組成物。
【請求項６】
式（Ｉ）で示される反応染料及び式（ＩＩＩ）で示される反応染料の重量割合が、９０：１０〜１０：９０の範囲である請求項１〜４のいずれかに記載の反応染料組成物。
【請求項７】
請求項１〜６のいずれかに記載の反応染料組成物を用いることを特徴とする繊維材料の染色又は捺染方法。
【発明の詳細な説明】
【技術分野】
【０００１】
本発明は、セルロース繊維材料等を緋赤色に染色又は捺染する際に有用な反応染料組成物、及び該反応染料組成物の繊維材料への適用に関する。
【背景技術】
【０００２】
セルロース繊維を緋赤色に染色する際の反応染料としては、スカーレット色の染料と赤色の染料とを混合した染料組成物が公知である（特許文献１、特許文献２を参照）。
【０００３】
【特許文献１】特開平６−９８９４号公報（特許請求の範囲等を参照）
【０００４】
【特許文献２】特開平２００１−３４８５０５号公報（特許請求の範囲等を参照）
【発明の開示】
【発明が解決しようとする課題】
【０００５】
しかしながら、上記公知の染料組成物を用いてセルロース繊維を染色しても、反応染料組成物中におけるスカーレット色の染料と赤色の染料の相容性が不良であるときは、緋赤色の染色物を得る場合や、黄色反応染料及び青色染料と配合して染色した場合に生じる染色物の色違いによって、良好な染色再現性が得られないという問題点があった。
本発明の目的は、スカーレット色の染料と赤色の染料の相容性が良好であり、上記染色物の色違いが生じない緋赤色の反応染料組成物を提供することにある。
【課題を解決するための手段】
【０００６】
本発明者らは、染色温度、塩濃度や染色濃度等の染色条件が変動した場合であっても、公知の反応染料組成物に比べてスカーレット色の染料と赤色の染料の相容性に優れ、且つ染色の再現性が良好な反応染料を開発すべく鋭意検討した結果、特定の反応染料組成物を用いることによって上記課題が解決できることを見出して、本発明を完成するに至った。
【０００７】
すなわち、本発明は、遊離酸の形で表すと、下式（Ｉ）で示される反応染料と、遊離酸の形で表すと、下式（ＩＩＩ）で示される反応染料とを含有してなる反応染料組成物を提供するものである。
また、本発明は、上記反応染料組成物を用いて繊維材料を染色又は捺染する方法を提供するものである。
【０００８】
2006028351.tif 000002
（Ｉ）
［式中、Ｘ１はフッ素原子、塩素原子又は下式（ＩＩａ）で示される基を表す。Ｘ２は下式（ＩＩｂ）で示される基を表す。
−Ｎ（Ｒ１）−Ａ１−ＳＯ２−Ｙ１          （ＩＩａ）
−Ｎ（Ｒ２）−Ａ2−ＳＯ２−Ｙ2            （ＩＩｂ）
（式中、Ｒ１及びＲ２は、それぞれ独立に水素原子又は炭素数１〜４のアルキル基を表す。Ａ１及びＡ２は、それぞれ独立にフェニレン基を表し、該フェニレン基における水素原子は非繊維反応基で置換されていてもよい。Ｙ１及びＹ２は、それぞれ独立に−ＣＨ＝ＣＨ２又は−ＣＨ２ＣＨ２Ｌ１を表す。Ｌ１はアルカリの作用で脱離する基である。）］
【０００９】
2006028351.tif 000003
（ＩＩＩ）
［式中、Ｘ３は下式（ＩＶａ）で示される繊維反応基を表す。Ｘ４は下式（ＩＶｂ）、（ＩＶｃ）又は（ＩＶｄ）で示される基を表す。
−Ｎ（Ｒ3）−Ａ3−ＳＯ２−Ｙ3            （ＩＶａ）
−Ｎ（Ｒ４）−Ｒ５                      （ＩＶｂ）
2006028351.tif 000004
（ＩＶｃ）
−ＯＲ６                            （ＩＶｄ）
（式中、Ｒ３は水素原子又は炭素数１〜４のアルキル基を表す。Ａ３はフェニレン基を表し、該フェニレン基における水素原子は非繊維反応基で置換されていてもよい。Ｙ３は−ＣＨ＝ＣＨ２又は−ＣＨ２ＣＨ２Ｌ２を表し、Ｌ２はアルカリの作用で脱離する基を表す。Ｒ４、Ｒ５及びＲ６は、それぞれ独立に水素原子又はフェニル基を表し、該フェニル基における水素原子は非繊維反応基で置換されていてもよい。Ｔは−ＣＨ２−、−Ｏ−、−Ｓ−、−ＳＯ２−又は−Ｎ（Ｒ１３）−を表す。Ｒ１３は水素原子、フェニル基又はアルキル基を表す。該フェニル基及びアルキル基における水素原子は非繊維反応基で置換されていてもよい。ｍは１、２又は３である。）］
【発明の効果】
【００１０】
本発明の反応染料組成物は、染色温度、塩濃度や染色濃度等の染色条件が変動した場合であっても、上記の反応染料（Ｉ）と反応染料（ＩＩＩ）の相容性に優れる。
また、本発明の繊維材料の染色又は捺染方法によれば、上記の染色条件が変動した場合であっても、上述した色違いが生じない。
【発明を実施するための最良の形態】
【００１１】
以下、本発明を詳細に説明する。
式（Ｉ）におけるＸ１は、フッ素原子、塩素原子又は上式（ＩＩａ）で示される基を表し、Ｘ２は上式（ＩＩｂ）で示される基を表す。式（ＩＩａ）におけるＲ１及び式（ＩＩｂ）におけるＲ２は、それぞれ独立に水素原子又は炭素数１〜４のアルキル基を表す。該アルキル基の具体例としては、メチル基、エチル基、ｎ−プロピル基、ｎ−ブチル基やｓｅｃ−ブチル基等を挙げることができる。好ましいＲ１及びＲ２は水素原子、メチル基やエチル基であり、特に好ましいＲ１及びＲ２は水素原子である。
【００１２】
式（ＩＩａ）におけるＡ１及び式（ＩＩｂ）におけるＡ２は、それぞれ独立に非繊維反応基で置換されていてもよいフェニレン基を表す。
【００１３】
本明細書における「非繊維反応基」は、次の繊維反応基を含まない基を意味する。
＜繊維反応基＞
セルロースのヒドロキシル基又はポリアミドのアミノ基及び場合によりカルボキシル基と共有化学結合の形成下に反応し得る基。
そして、該繊維反応基の具体例は、特開平８−４８８９７号公報の段落番号００２３に記載されている。
【００１４】
式（ＩＩａ）におけるＹ１及び式（ＩＩｂ）におけるＹ2は、それぞれ独立に−ＣＨ＝ＣＨ２又は−ＣＨ２ＣＨ２Ｌ１を表し、Ｌ１はアルカリの作用で脱離する基を表す。
上記のＬ１としては、例えば、硫酸エステル基、チオ硫酸エステル基、燐酸エステル基、酢酸エステル基やハロゲン原子、又はピリジニオ基等を挙げることができる。該ピリジニオ基における１〜２個の水素原子は、カルボキシル基及びウレイド基からなる群より選ばれる１〜２個の置換基で置換されていてもよい。
【００１５】
本発明で用いられる反応染料（ＩＩＩ）におけるＸ３は、上式（ＩＶａ）で示される基を表し、該式（ＩＶａ）におけるＲ３は、水素原子又は炭素数１〜４のアルキル基を表す。該アルキル基の具体例としては、前記Ｒ１で例示したものと同じものを挙げることができる。好ましいＲ３は、水素原子、メチル基又はエチル基であり、特に好ましいＲ３は、水素原子である。
【００１６】
式（ＩＶａ）におけるＡ３は、非繊維反応基で置換されていてもよいフェニレンを表す。また、式（ＩＶａ）におけるＹ３は、−ＣＨ＝ＣＨ２又は−ＣＨ２ＣＨ２Ｌ２を表し、Ｌ２はアルカリの作用で脱離する基を表す。Ｌ２としては、例えば上記のＬ１で例示したものと同じものを挙げることができる。
【００１７】
式（ＩＩＩ）におけるＸ４は、式（ＩＶｂ）、（ＩＶｃ）又は（ＩＶｄ）で示される基を表す。式（ＩＶｂ）におけるＲ４及びＲ５、並びに式（ＩＶｄ）におけるＲ６は水素原子又は非繊維反応基で置換されていてもよいフェニル基を表す。式（ＩＶｃ）におけるＴは−ＣＨ２−、−Ｏ−、−Ｓ−、−ＳＯ２−又は−ＮＲ１３−を表す。上記のＲ１３は水素原子、非繊維反応基で置換されていてもよいフェニル基又は非繊維反応基で置換されていてもよいアルキル基を表す。式（ＩＶｃ）におけるｍは１、２又は３であり、好ましくは２である。
【００１８】
式（ＩＩａ）におけるＡ１、式（ＩＩｂ）におけるＡ２及び式（ＩＶａ）におけるＡ３で表される非繊維反応基で置換されていてもよいフェニレン基としては、例えば、該フェニレン基における水素原子の１個又は２個が、炭素数１〜４のアルキル基、炭素数１〜４のアルコキシ基、スルホ基及びハロゲン原子（塩素原子や臭素原子等）からなる群より選ばれる１個又は２個の非繊維反応基により置換されていてもよいフェニレンが好ましい。中でも、上記フェニレン基における水素原子の１個又は２個が、メチル基、エチル基、メトキシ基、エトキシ基、塩素原子、臭素原子及びスルホ基からなる群より選ばれる１個又は２個の非繊維反応基により置換されていてもよいフェニレン基が特に好ましい。
かかるフェニレン基としては、例えば、以下の基等を挙げることができる。特に、フェニレン基における水素原子の１個又は２個が、メチル基及びメトキシ基からなる群より選ばれる１個又は２個の非繊維反応基で置換されていてもよいフェニレン基が好ましい。
【００１９】
2006028351.tif 000005
【００２０】
［式中、＊印は−ＮＲ１−、−ＮＲ２−又は−ＮＲ３−に通じている結合を意味する。また、Ｒ１、Ｒ２及びＲ３は前記と同じ定義である。］
【００２１】
上式（ＩＶｂ）におけるＲ４、Ｒ５及び上式（ＩＶｄ）におけるＲ６において、非繊維反応基で置換されていてもよいフェニル基の具体例としては、例えば、次のものが挙げられる。
フェニル基、２−メチルフェニル基、３−メチルフェニル基、４−メチルフェニル基、２−メトキシフェニル基、３−メトキシフェニル基、４−メトキシフェニル基、２−エチルフェニル基、３−エチルフェニル基、４−エチルフェニル基、２−エトキシフェニル基、３−エトキシフェニル基、４−エトキシフェニル基、２−、３−又は４−イソプロピルフェニル、２−、３−又は４−カルボキシフェニル、２−カルバモイルフェニル基、３−カルバモイルフェニル基、４−カルバモイルフェニル基、２−クロロフェニル基、３−クロロフェニル基、４−クロロフェニル基、２−スルホフェニル基、３−スルホフェニル基、４−スルホフェニル基、２−ヒドロキシフェニル基、３−ヒドロキシフェニル基、４−ヒドロキシフェニル基、２−スルホ−４−メトキシフェニル基、２−スルホ−４−アセチルアミノフェニル基、２−カルボキシ−４−アセチルアミノフェニル基、２−メトキシ−５−メチルフェニル基、２，４−ジメトキシフェニル基及び２，５−ジメトキシフェニル基等。
【００２２】
また、式（ＩＶｃ）中のＴで表される−Ｎ（Ｒ１３）−におけるＲ１３が非繊維反応基で置換されていてもよいアルキル基である場合、該アルキル基としては、例えば、次の基が挙げられる。
メチル基、エチル基、ｎ−プロピル基、ｉｓｏ−プロピル基、ｎ−ブチル基、ｉｓｏ−ブチル基、ｓｅｃ−ブチル基、２−ヒドロキシエチル基、２−ヒドロキシプロピル基、３−ヒドロキシプロピル基、２−ヒドロキシブチル基、３−ヒドロキシブチル基、４−ヒドロキシブチル基、２，３−ジヒドロキシプロピル基、３，４−ジヒドロキシブチル基、シアノメチル基、２−シアノエチル基、３−シアノプロピル基、４−シアノブチル基、メトキシメチル基、エトキシメチル基、２−メトキシエチル基、２−エトキシエチル基、３−メトキシプロピル基、３−エトキシプロピル基、２−ヒドロキシ−３−メトキシプロピル基、カルボキシメチル基、２−カルボキシエチル基、３−カルボキシプロピル基、４−カルボキシブチル基、１，２−ジカルボキシエチル基、カルバモイルメチル基、２−カルバモイルエチル基、３−カルバモイルプロピル基、４−カルバモイルブチル基、メトキシカルボニルメチル基、エトキシカルボニルメチル基、２−メトキシカルボニルエチル基、２−エトキシカルボニルエチル基、３−メトキシカルボニルプロピル基、３−エトキシカルボニルプロピル基、４−メトキシカルボニルブチル基、４−エトキシカルボニルブチル基、メチルカルボニルオキシメチル基、エチルカルボニルオキシメチル基、２−メチルカルボニルオキシエチル基、２−エチルカルボニルオキシエチル基、３−メチルカルボニルオキシプロピル基、３−エチルカルボニルオキシプロピル基、４−メチルカルボニルオキシブチル基、４−エチルカルボニルオキシブチル基、スルホメチル基、２−スルホエチル基、３−スルホプロピル基、４−スルホブチル基、スルファモイルメチル基、２−スルファモイルエチル基、３−スルファモイルプロピル基、４−スルファモイルブチル基、クロロメチル基、ブロモメチル基、２−クロロエチル基、２−ブロモエチル基、３−クロロプロピル基、３−ブロモプロピル基、４−クロロブチル基や４−ブロモブチル基等。
【００２３】
本発明において用いられる反応染料（Ｉ）及び（ＩＩＩ）は、例えば、遊離酸の形のものとその塩との混合物の形であってもよい。好ましい反応染料（Ｉ）及び（ＩＩＩ）は、アルカリ金属塩、アルカリ土類金属塩又はそれらを含有する混合物である。
特に好ましい反応染料（Ｉ）及び（ＩＩＩ）は、ソーダ塩、カリウム塩、リチウム塩及びそれらを含有する混合物である。
【００２４】
本発明の反応染料組成物は反応染料（Ｉ）及び（ＩＩＩ）を含有してなるものであり、該反応染料組成物の調製方法は限定されるものではない。本発明の反応染料組成物は、染色前に反応染料（Ｉ）と（ＩＩＩ）を予め混合して調製してもよく、染色時に染浴中で混合して調製してもよい。
【００２５】
本発明の反応染料組成物は、必要に応じて、食塩等の無機塩；分散剤；ナフタレン誘導体やアントラキノン誘導体等の溶解向上剤；粉塵飛散防止剤；ｐＨ安定剤；ポリ燐酸塩等の硬水軟化剤；消泡剤；水；その他の染色助剤等を含有することができる。
また、本発明の反応染料組成物の形態は、粉末状であってもよく、顆粒状であってもよく、水性の液体状であってもよい。
【００２６】
本発明の反応染料組成物は、式（Ｉ）で示される反応染料群から選ばれる１種以上と、式（ＩＩＩ）で示される反応染料群から選ばれる１種以上との混合物である。式（Ｉ）で示される反応染料群から選ばれる１種以上と、式（ＩＩＩ）で示される反応染料群から選ばれる１種以上との混合割合（重量比）は、好ましくは９９〜１：１〜９９の範囲であり、より好ましくは、９０〜１０：１０〜９０の範囲である。
本発明における反応染料（Ｉ）は、例えば特開昭６３−１０１４５８号公報に記載の方法で製造することができる。また、反応染料（ＩＩＩ）は、例えば特開昭６０−１７３０６０号公報に記載の方法で製造することができる。
【００２７】
本発明の反応染料組成物は、繊維材料を染色又は捺染する反応染料として有用である。かかる繊維材料としては、ヒドロキシ基及び／又はアミド基を含有するものであれば特に限定されないが、例えば、天然又は再生セルロース繊維、天然又は合成ポリアミド繊維、ポリウレタン繊維、皮革、及びこれらを含有する混紡材料等を挙げることができる。天然セルロース繊維としては、例えば、木綿、リネン、麻、ジュートやラミー繊維等を挙げることができる。好ましいセルロース繊維は、木綿である。再生セルロース繊維としては、例えば、レーヨン、ポリノジックやキュプラ繊維；商品名テンセル、商品名タフセル、商品名モダールや商品名セルティマ等を挙げることができる。天然又は合成ポリアミド繊維としては、例えば、羊毛、絹、ポリアミド−６，６、ポリアミド−６、ポリアミド−１１やポリアミド−４等を挙げることができる。また、これらを含有する混紡材料としては、これら繊維材料の混紡材料；これらの繊維材料とポリエステル、ナイロンやアクリル等の合成繊維との混紡材料等が挙げられる。
本発明の反応染料組成物は、上述の材料上、特に上述の繊維材料上に、物理的化学的性状に応じた方法で染色又は捺染することができる。具体的には、吸尽染色法、コールドバッチアップ法、連続染色法や捺染法等の方法により、上述の繊維上に染色又は捺染する方法を挙げることができる。
例えば、セルロース繊維上に吸尽染色法で染色する際は、炭酸ソーダ、重炭酸ソーダ、第三燐酸ソーダや苛性ソーダ等のアルカリの存在下、必要に応じて芒硝や食塩等の中性塩を加え、溶解助剤、浸透剤や均染剤等を必要に応じて併用し、３０〜１００℃程度の温度で染色する方法等が例示される。アルカリや中性塩等は、一度に添加してもよく、分割して添加してもよい。
セルロース繊維上にコールドバッチアップ法で染色する際は、芒硝や食塩等の中性塩と苛性ソーダやケイ酸ソーダ等のアルカリを用いてパジング後、密閉包装材料中に一定温度で放置して処理する方法等が例示される。
セルロース繊維上に連続染色法で染色する際は、炭酸ソーダや重炭酸ソーダ等のアルカリの存在下、室温又は室温よりも高められた温度でパジング後、スチーミング又は乾熱により処理する一相パジング法；上記の反応染料組成物が溶解しているパジング液に繊維を浸漬後、芒硝又は食塩等の中性塩と苛性ソーダ又はケイ酸ソーダ等のアルカリをパジングし、スチーミング又は乾熱することにより処理する二相パジング法等が例示される。
セルロース繊維上に捺染する場合は、重曹等のアルカリを含有する捺染ペーストを用いて一相で印捺後、８０℃以上の高温でスチーミングする方法や；中性又は弱酸性の捺染ペーストを用いて二相で印捺した後に電解質含有のアルカリ性浴に通過させた後、又はアルカリ性の電解質含有パジング液でオーバパジングした後に、スチーミング又は乾熱処理する方法等が例示される。上記の捺染ペーストには、アルギン酸ソーダや澱粉エーテル等の糊剤及び／又は乳化剤を含んでいてもよく、必要に応じて、尿素等の捺染糊剤及び／又は分散剤を含んでいてもよい。
【００２８】
セルロース繊維上に本発明の反応染料組成物を染色又は捺染する場合、アルカリとしては、例えば、苛性ソーダや苛性カリ等のようなアルカリ金属の水酸化物；第一燐酸ソーダ、第二燐酸ソーダ、ケイ酸ソーダ、トリクロロ酢酸ソーダ、蟻酸ソーダ、炭酸ソーダや炭酸カリ等のようなアルカリ金属又はアルカリ土類金属と無機酸又は有機酸との水溶性塩基性塩；加熱状態でアルカリを遊離する化合物等が挙げられる。好ましくは、アルカリ金属の水酸化物及び弱〜中程度の強さの無機酸又は有機酸のアルカリ金属塩が挙げられる。より好ましくは、苛性ソーダや苛性カリ；炭酸ソーダや炭酸カリ等が挙げられる。
【００２９】
合成又は天然のポリアミド繊維上や、ポリウレタン繊維上に吸尽染色する場合においては、酸性〜弱酸性の染浴中、ｐＨの制御下に本発明の反応染料組成物を吸尽させ、次いで６０〜１２０℃程度の温度下、中性〜アルカリ性にｐＨを変化させる方法等が例示される。ここで必要に応じて、均染剤等、例えば、塩化シアヌルとアミノベンゼンスルホン酸の縮合生成物、塩化シアヌルとアミノナフタレンスルホン酸の縮合生成物やステアリルアミンとエチレンオキサイドとの付加生成物等の均染剤等を用いてもよい。
本発明の反応染料組成物は、所望の色相を得るために、必要に応じて本発明の特徴を損なわない範囲で他の染料と混合して使用することができる。混合して使用する染料としては、反応染料であれば特に制約はないが、例えば、反応基としてスルファトエチルスルホン基、ビニルスルホン基、モノクロロトリアジン基、モノフルオロトリアジン基、モノニコチン酸トリアジン基、ジクロロトリアジン基、ジフルオロモノクロロピリミジン基及びトリクロロピリミジン基の１種以上を１つ以上有する染料；Ｓｕｍｉｆｉｘ、Ｓｕｍｉｆｉｘ  ＨＦ、Ｓｕｍｉｆｉｘ  Ｓｕｐｒａ、Ｒｅｍａｚｏｌ、Ｌｅｖａｆｉｘ、ＲｅａＮｏｖａ、Ｐｒｏｃｉｏｎ、Ｃｉｂａｃｒｏｎ、Ｂａｓｉｌｅｎ、Ｄｒｉｍａｒｅｎｅ、Ｋａｙａｃｉｏｎ、Ｋａｙａｃｅｌｏｎ  Ｒｅａｃｔ等の冠称名で市販されている染料、更には、特開昭５０−１７８号公報、特開昭５６−９４８３号公報、特開昭５６−１５４８１号公報、特開昭５６−１１８９７６号公報、特開昭５６−１２８３８０号公報、特開昭５７−２３６５号公報、特開昭５７−８９６７９号公報、特開昭５７−１４３３６０号公報、特開昭５９−１５４５１号公報、特開昭５８−１９１７５５号公報、特開昭５９−９６１７４号公報、特開昭５９−１６１４６３号公報、特開昭６０−６７５４号公報、特開昭６０−１２３５５９号公報、特開昭６０−２２９９５７号公報、特開昭６０−２６０６５４号公報、特開昭６１−１５５４６９号公報、特開昭６１−２２５２５６号公報、特開昭６３−７７９７４号公報、特開昭６３−２２５６６４号公報、特開平１−１８５３７０号公報、特開平３−７７０号公報、特開平５−３２９０７号公報、特開平５−２４７３６６号公報、特開平６−２８７４６３号公報に記載されている染料及びＣ．Ｉ．Ｒｅａｃｔｉｖｅ  Ｂｌｕｅ  １９、Ｃ．Ｉ．Ｒｅａｃｔｉｖｅ  Ｂｌａｃｋ５で表される染料等が例示される。
【００３０】
本発明の反応染料組成物は、繊維材料に対する染色及び捺染において優れた性能を発揮する点に特徴がある。特にセルロース繊維材料の染色及び捺染に好適であり、この反応染料組成物はスカーレット色の染料と赤色染料とが良好な相容性を有する。
また、本発明の反応染料組成物は、セルロース繊維材料を緋赤色の色調に染色することができ、洗濯堅牢度等に優れた染色物を与える。
【実施例】
【００３１】
以下、実施例により本発明を更に詳細に説明するが、本発明はこれらの実施例に限定されるものではない。なお、例中における％及び部は、特記しない限り、重量％及び重量部を表す。
【００３２】
実施例１
遊離酸の形で表すと、下式（１）
2006028351.tif 000006
（１）
で示される染料２６５部と、遊離酸の形で表すと、下式（２）
【００３３】
2006028351.tif 000007
（２）
【００３４】
で示される染料７３５部を混合して、緋赤色の反応染料組成物を得た。
このようにして得た組成物０．０８ｇ及び無水芒硝５．０ｇを、綿繊維からなる編み物５ｇをセットした染色装置（浴比１：２０、浴温は７０℃）中に投入し、投入後７０℃で約２０分間編み物を処理し、次いで炭酸ソーダ２．０ｇを浴中に投入し、更に後７０℃で６０分間編み物を染色後、洗浄した。斑のない均一で濃い緋赤色の染色物を得た。また、上記染色の再現性も良好であった。
【００３５】
実施例２
遊離酸の形で表すと、下式（３）
【００３６】
2006028351.tif 000008
（３）
【００３７】
で示される染料３００部、遊離酸の形で表すと、上式（２）で示される染料７００部を混合して、緋赤色の反応染料組成物を得た。この反応染料組成物０．０８ｇ及び無水芒硝５ｇを綿繊維からなる編み物５ｇをセットした染色装置（浴比１：２０、浴温は７０℃）中に投入し、投入後７０℃で約２０分間編み物を処理し、次いで、炭酸ソーダ２．０ｇを浴中に投入し、更に７０℃で６０分間編み物を染色後、洗浄した。斑のない均一で濃い緋赤色の染色物を得た。また、上記染色の再現性も良好であった。
【００３８】
実施例３
遊離酸の形で表すと、上式（１）で示される染料３００部、遊離酸の形で表すと、上式（３）で示される染料２００部、及び遊離酸の形で表すと、上式（２）で示される染料５００部を混合して、緋赤色の反応染料組成物を得た。
このようにして得られる組成物０．１０ｇ及び無水芒硝５．０ｇを、綿繊維からなる編み物５ｇをセットした染色装置（浴比１：２０、浴温は７０℃）中に投入し、投入後７０℃で約２０分間編み物を処理し、次いで、炭酸ソーダ２．０ｇを浴中に投入し、更に７０℃で６０分間編み物を染色後、洗浄した。斑のない均一で濃い緋赤色の染色物を得た。また、上記染色の再現性も良好であった。
【００３９】
実施例４
実施例１で得た緋赤色の反応染料組成物２００部を熱水で溶解後、２５℃迄冷却し、アルギン酸ソーダ１部、メタニトロベンゼンスルホン酸ソーダ１０部及び炭酸水素ナトリウム２０部を添加し、更に水を加えて全量を２５℃で１０００部とし、この液をパジング液として木綿織物をパジングし、織物を１２０℃で２分間乾燥し、次いで１００℃で５分間スチーミングして染料を固着させる。均一な濃い赤色であり、洗濯堅牢度及び汗日光堅牢度が良好な染色物が得られる。また、上記染色の再現性は良好である。
【００４０】
実施例５
実施例１で得た反応染料組成物を用いて、以下の組成をもつ色糊を作る。
【００４１】
【表１】
2006028351.tif 000009
【００４２】
この色糊をシルケット加工綿ブロード上に印捺し、中間乾燥後、１００℃で５分間スチーミングを行い、湯洗い、ソーピング、湯洗い及び乾燥して仕上げる。均一で濃い捺染物が得られる。
【００４３】
実施例６
実施例１で得た反応染料組成物３０ｇをそれぞれ熱水に溶解した後、２５℃に冷却する。この染料溶液に３２．５％苛性ソーダ水溶液１５ｇ及び５０度ボーメの水ガラス１５０ｇを添加し、更に２５℃で水を加えて全量を１０００ｇとした直後に、この液をパジング液として木綿織物をパジングする。パジングした木綿織物を巻き上げ、ポリエチレンフィルムで密閉して２５℃の室温で２０時間放置した後、常法で洗浄し、乾燥して仕上げる。  均一で濃い赤色の染色物が得られる。
【産業上の利用可能性】
【００４４】
本発明の反応染料組成物は、木綿等のセルロース繊維材料を緋赤色に染色する反応染料として有用である。
また、本発明の染色方法で得られる繊維材料は、均一で斑のないものである。